(57)【特許請求の範囲】
【請求項１】
デジタル放送を移動しながら受信するデジタル放送受信装置であって、
デジタル放送信号を受信する受信部と、
受信している放送局のネットワーク識別値と、受信している放送局により行われるデジタル放送を中継する中継局の送信チャンネルと、前記放送局が属する系列を識別する系列識別とを少なくとも記憶する記憶部と、
前記送信チャンネルのうち、前記受信部が受信可能な送信チャンネルを有する前記中継局を検索し、前記中継局が見つからないときは、前記記憶部に記憶された前記系列識別と同じ系列識別を有する前記放送局を検索する制御部と、を備え、
前記制御部は、前記中継局を検索するときは、
先ず、受信可能な前記中継局の送信チャンネルの全てについて信号品質を取得し、次に、前記信号品質が良好な前記送信チャンネルから順にネットワーク識別値を取得し、取得したネットワーク識別値が前記受信している放送局のネットワーク識別値と一致した場合は、当該チャンネルを受信する
ことを特徴とするデジタル放送受信装置。
【請求項２】
請求項１に記載のデジタル放送受信装置において、
前記記憶部は、デジタル放送を行う前記放送局として登録された当該放送局について、中継局の送信チャンネルを記憶する
ことを特徴とするデジタル放送受信装置。
【請求項３】
請求項１又は２に記載のデジタル放送受信装置において、
前記記憶部は、全国の各放送局について、前記系列識別を記憶する
ことを特徴とするデジタル放送受信装置。
【請求項４】
デジタル放送を移動しながら受信するデジタル放送受信方法であって、
デジタル放送信号を受信するステップと、
受信している放送局のネットワーク識別値と、受信している放送局により行われるデジタル放送を中継する中継局の送信チャンネルと、前記放送局が属する系列を識別する系列識別とを記憶するステップと、
前記送信チャンネルのうち、受信可能な前記送信チャンネルを有する前記中継局を検索し、前記中継局が見つからなかったときは、前記系列識別と同じ当該系列識別を有する前記放送局を検索するステップと、
更に、前記中継局を検索するときは、
先ず、受信可能な前記中継局の送信チャンネルの全てについて信号品質を取得し、次に、前記信号品質が良好な前記送信チャンネルから順にネットワーク識別値を取得し、取得したネットワーク識別値が前記受信している放送局のネットワーク識別値と一致した場合は、当該チャンネルを受信するステップを備える
ことを特徴とするデジタル放送受信方法。
【請求項５】
請求項４に記載のデジタル放送受信方法において、
前記信号品質は、Ｃ／Ｎ（Carrier to Noise ratio）を検出して判定される
ことを特徴とするデジタル放送受信方法。
【請求項６】
請求項４又は５に記載のデジタル放送受信方法において、
前記放送局と同一系列の当該放送局を検索するときは、
前記デジタル放送信号の物理チャンネルをずらしながら、前記放送局の系列識別と同じ系列識別を有する当該放送局を検索し、最初に受信した前記放送局の系列識別と同じ系列識別を有する当該放送局の放送を受信するステップを備える
ことを特徴とするデジタル放送受信方法。
【請求項７】
請求項６に記載のデジタル放送受信方法において、
前記放送局と同一系列の当該放送局を受信しているときに、再度、前記放送局と同一系列の当該放送局を検索するときは、受信した前記同一系列の前記放送局の物理チャンネルを一ずらした当該物理チャンネルから検索を開始するステップを備える
ことを特徴とするデジタル放送受信方法。
【請求項８】
請求項４ないし７のいずれか１項に記載のデジタル放送受信方法において、
階層伝送された前記デジタル放送信号を受信するステップと、
所定の階層のみを固定して受信する場合は、
前記所定の階層を受信可能な前記放送局の前記中継局をサーチし、前記中継局が見つからないときは、前記所定の階層を受信可能な前記放送局と同一系列の当該放送局の検索を行うステップと、
受信する階層を所定の条件に応じて適宜切り換えて受信する場合は、
少なくとも一つの前記階層を受信可能な前記放送局の前記中継局をサーチし、当該中継局が見つからなかったときは、少なくとも一つの前記階層を受信可能な前記放送局と同一系列の当該放送局の検索を行うステップとを備える
ことを特徴とするデジタル放送受信方法。
【請求項９】
請求項８に記載のデジタル放送受信方法において、
前記階層伝送は、弱階層伝送と強階層伝送とを含み、
受信状態が良好なときは弱階層を受信し、受信状態が悪いときは強階層を受信する
ことを特徴とするデジタル放送受信方法。
【発明の詳細な説明】
【技術分野】
【０００１】
本発明は、デジタル放送を移動しながら受信する移動体に用いるデジタル放送受信装置及びデジタル放送受信方法に係り、特に、受信エリアをまたがって移動して受信する際に同一番組を継続して受信する技術に関する。
【背景技術】
【０００２】
従来、日本の地上デジタル放送は、変調方式にＯＦＤＭ（Orthogonal Frequency Division Multiplexing）方式を用いているためマルチパスに強く、また、時間インタリーブの採用により移動受信に対する対策がなされており、移動する車などでの受信が可能となっている。
【０００３】
地上デジタル放送では、個々の放送局は、中継局ごとに異なる周波数で放送されている。このため、現在の受信エリアから他の受信エリアに移動した際には、それまで視聴していた番組が受信できなくなってしまう。
【０００４】
非特許文献１によれば、個々の放送局が放送する中継局の全ての送信周波数をＮＩＴ（Network Information Table）の地上分配システム記述子に記載することとし、車載受信機など受信チャンネルがダイナミックに変化し得る受信機では、現在の受信エリアから他の受信エリアに移動した際には、ＮＩＴに記載されている周波数情報を利用して周波数スキャンを行うことで、同一番組を継続して視聴することができることが示されている。
【０００５】
また、非特許文献１によれば、個々の放送局は１つ又は複数の系列に属することができ、系列の識別は、ＢＩＴ（Broadcaster Information Table）の拡張ブロードキャスタ記述子のaffiliation_id（系列識別）により識別され、受信エリアをまたがって受信する際に、affiliation_idが同じ放送局をサーチすることで、同一系列の番組を継続して視聴することができることが示されている。但し、同一系列の放送局であっても、時間帯によって自主制作番組を放送していることがあるため、常に同一番組が放送されているとは限らない。
【０００６】
【特許文献１】ＡＲＩＢ  ＴＲ−Ｂ１４  ３．１版の第四編「地上デジタルテレビジョン放送ＰＳＩ／ＳＩ運用規定」
【発明の開示】
【発明が解決しようとする課題】
【０００７】
しかしながら、非特許文献１に記載の技術では、移動等により、現在の受信エリアから他の受信エリアに移動した際においても、視聴していた番組を継続して受信するためには、受信可能な中継局、又は、同一系列の放送局を検索する必要があり、特に、移動速度が速く、受信エリアを頻繁にまたがる場合には、上記検索処理を繰返し実施しなければならないという問題点があった。
【０００８】
本発明は、上記問題点を解決するためになされたもので、その目的は、移動体等により、受信エリアをまたがって移動する際に、視聴していた放送局の中継局、又は、同一系列の放送局を迅速に効率良く検索（以下、「中継局／系列局サーチ」と呼ぶ）できるデジタル放送受信装置、及び、それに用いるデジタル放送受信方法を提供することである。
【課題を解決するための手段】
【０００９】
本発明によれば、上記課題を解決するために、デジタル放送を移動しながら受信するデジタル放送受信装置であって、デジタル放送信号を受信する受信部と、受信している放送局のネットワーク識別値と、受信している放送局により行われるデジタル放送を中継する中継局の送信チャンネルと、前記放送局が属する系列を識別する系列識別とを少なくとも記憶する記憶部と、前記送信チャンネルのうち、前記受信部が受信可能な送信チャンネルを有する前記中継局を検索し、前記中継局が見つからないときは、前記記憶部に記憶された前記系列識別と同じ系列識別を有する前記放送局を検索する制御部と、を備え、前記制御部は、前記中継局を検索するときは、先ず、受信可能な前記中継局の送信チャンネルの全てについて信号品質を取得し、次に、前記信号品質が良好な前記送信チャンネルから順にネットワーク識別値を取得し、取得したネットワーク識別値が前記受信している放送局のネットワーク識別値と一致した場合は、当該チャンネルを受信するデジタル放送受信装置が提供される。
【００１０】
更に、本発明によれば、前記記憶部は、デジタル放送を行う前記放送局として登録された当該放送局について、中継局の送信チャンネルを記憶するデジタル放送受信装置が提供される。
【００１１】
更に、本発明によれば、前記記憶部は、全国の各放送局について、前記系列識別を記憶するデジタル放送受信装置が提供される。
【００１２】
更に、本発明によれば、上記デジタル放送受信装置に用いるデジタル放送受信方法を提供する。
【発明の効果】
【００１３】
本発明によれば、移動体等により、受信エリアをまたがって移動する際に、視聴してた放送局の中継局、又は同一系列の放送局を迅速に効率良く検索するデジタル放送受信装置、及び、それに用いるデジタル放送受信方法を提供することができる。
【発明を実施するための最良の形態】
【００１４】
以下に、本発明の実施の形態について、添付の図面を参照しながら詳細に説明する。
【００１５】
図１は、本発明の一実施の形態になるデジタル放送受信装置の構成図である。
【００１６】
図１に示すように、デジタル放送受信装置は、アンテナ１、チューナ部２、復調部３、復号部４、映像表示部５、音声出力部６、制御部７及びメモリ（記憶部）８から構成される。
【００１７】
アンテナ１は放送電波を受信し、受信信号をチューナ部２に供給する。チューナ部２は、供給された受信信号から、制御部７より指定されたチャンネルの信号を選局し、復調部３に供給する。復調部３は、供給されたチャンネル信号を復調したり、伝送時に発生した誤りを訂正し、トランスポートストリーム信号（以下、ＴＳ信号と呼ぶ）を復号部４に供給する。また、復調部３は、受信信号のＣ／Ｎ（Carrier to Noise ratio）を測定し、制御部７に通知する。さらに、復調部３は、ＴＳ信号の信号状態を監視し、ＴＳ信号にエラーがあるかないかを示すフラグを制御部７に通知する。ここで、アンテナ１、チューナ部２、復調部３及び復号部４は受信部を構成する。
【００１８】
復号部４は、供給されたＴＳ信号をデコードし、映像信号を映像表示部５に、音声信号を音声出力部６に供給する。また、復号部４は、ＴＳ信号に含まれているＮＩＴ、あるいはＢＩＴを抽出し、制御部７に供給する。
【００１９】
映像表示部５は、供給された映像信号を表示し、音声出力部６は、供給された音声信号を出力する。
【００２０】
次に、図２を用いて、メモリ８に格納される選局テーブル８１と、系列局テーブル８２について説明する。
【００２１】
図２（ａ）は、メモリ８に格納される選局テーブル８１の構成例を示した図である。図２に示すように、選局テーブル８１には、リモコン番号、選局チャンネル、放送局名、network_id（ネットワークの識別値）、及び、中継局における全ての送信チャンネル等の情報が格納される。本発明の実施の形態におけるデジタル放送受信装置は、中継局／系列局サーチを実施する前に、予め選局テーブル８１を作成しておく。これらの情報はＮＩＴに記載されているため、例えば、初期スキャンを実施した際に各放送局のＮＩＴを取得することにより、選局テーブル８１を作成することができる。
【００２２】
なお、移動体等により他の受信エリアに移動すると、選局テーブル８１に格納された中継局の送信チャンネルと同一の周波数を使用して、他の放送局が放送を実施している場合がある。このため、中継局をサーチする際は、それまで視聴していた放送局のnetwork_idとサーチしたチャンネルのnetwork_idが同一であるか否かを判定し、同一（すなわち中継局）であれば受信するという処理を行う必要がある。
【００２３】
図２（ｂ）は、メモリ８に格納される系列局テーブル８２の構成例を示した図である。図２に示すように、系列局テーブル８２には、全国の全ての放送局についてのaffiliation_id（系列識別）が格納される。本発明の実施の形態におけるデジタル放送受信装置は、中継局／系列局サーチを実施する前に、予め系列局テーブル８２を作成しておく。但し、各放送局のaffiliation_idの値は、将来変更される可能性があるため、例えば、定期的にＢＩＴを抽出し、ＢＩＴに含まれているaffiliation_idの値と、系列局テーブル８２に格納されている該当放送局のaffiliation_idの値とを比較し、値が一致していなければ、系列局テーブル８２に格納されている該当放送局のaffiliation_idの値を更新すればよい。
【００２４】
以下に、実施例により、具体的に中継局／系列局サーチの処理を説明する。
【実施例１】
【００２５】
図３は、本発明による実施例１における中継局／系列局サーチの処理を示すフローチャートである。図３により、制御部７により実行される中継局／系列局サーチの処理を説明する。
【００２６】
図３に示すフローチャートの概要を説明する。ここで、説明のために、中継局／系列局サーチを開始する時点において受信している放送局をサーチ対象放送局と呼ぶこととする。
【００２７】
ユーザによる設定時、または、視聴中の番組の受信状態が悪くなると自動的に、中継局／系列局サーチが開始される。
【００２８】
図３に示すように、まず、中継局サーチＳ１００が実行される。中継局サーチＳ１００により、中継局が見つかった場合は、この中継局を受信し、中継局／系列局サーチを終了する。また、中継局サーチＳ１００により中継局が見つからなかった場合は、系列局サーチＳ２００に遷移する。系列局サーチＳ２００が実行され、同一系列の放送局が見つかった場合は、この系列局を受信し、中継局／系列局サーチを終了する。一方、系列局サーチＳ２００により同一系列の放送局が見つからなかった場合は、中継局または同一系列の放送局が見つからなかったことを示す情報をユーザに提示し、中継局／系列局サーチを終了する。
【００２９】
次に、中継局サーチＳ１００の具体的な処理手順を説明する。
【００３０】
まず、Ｓ１０１で変数「Ｍ」に１を代入し、Ｓ１０２に遷移する。Ｓ１０２で、選局テーブル８１を参照し、サーチ対象放送局の「Ｍ」番目に記載された中継局の送信チャンネルを選局する。
【００３１】
次に、Ｓ１０３で、復調部３からＴＳ信号にエラーがあるかないかを示すフラグを検出し、ＴＳ信号にエラーがなければ、受信可能と判定し、Ｓ１０４に遷移し、ＴＳ信号にエラーがあれば、受信不可能と判定し、Ｓ１０５に遷移する。Ｓ１０４では、復調部３から受信信号のＣ／Ｎを取得し、一時的なメモリに格納した後、Ｓ１０５に遷移する。Ｓ１０５では、選局テーブル８１を参照し、サーチ対象放送局について、他に中継局の送信チャンネルがあるかないかを確認し、他にも中継局の送信チャンネルがある場合は、変数「Ｍ」に１を加え（Ｓ１０６）、Ｓ１０２〜Ｓ１０４を繰返し実行する。その後、Ｓ１０５において、他に中継局の送信チャンネルがなくなったら、Ｓ１０７に遷移する。
【００３２】
次に、Ｓ１０７では、Ｓ１０３で受信可能と判定された中継局の送信チャンネルがあるかないかを判定し、受信可能と判定された中継局の送信チャンネルがある場合は、Ｓ１０８に遷移し、受信可能と判定された中継局の送信チャンネルがない場合は、中継局サーチＳ１００により中継局が見つからなかったと判定し、系列局サーチＳ２００に遷移する。
【００３３】
続いて、Ｓ１０８では、受信可能と判定された中継局の送信チャンネルの中で、Ｓ１０４で取得した受信信号のＣ／Ｎが最大の中継局の送信チャンネルを選局する。そして、復調部３から、ＴＳ信号にエラーがあるかないかを示すフラグを検出し、受信可能な中継局の送信チャンネルであるか否かを判定する（Ｓ１０９）。ＴＳ信号にエラーがなければ、受信可能と判定し、Ｓ１１０に遷移し、ＴＳ信号にエラーがあれば、受信不可能と判定し、Ｓ１１４に遷移する。Ｓ１１０では、復号部４からＮＩＴを取得する。そして、ＮＩＴが取得できた場合は、Ｓ１１２に遷移し、ＮＩＴが取得できなかった場合は、受信不可能と判定し、Ｓ１１４に遷移する（Ｓ１１１）。Ｓ１１２では、ＮＩＴに含まれているnetwork_idと、サーチ対象放送局のnetwork_idとを比較し、一致している場合は、中継局が見つかったと判定し、このチャンネルを受信し（Ｓ１１３）、中継局／系列局サーチを終了する。一方、一致しなかった場合は、中継局ではないものと判定し、Ｓ１１４に遷移する。
【００３４】
次に、Ｓ１１４では、Ｓ１０３で受信可能と判定された中継局の送信チャンネルが他にもあるかないかを確認し、他にも受信可能と判定された中継局の送信チャンネルがある場合は、次にＣ／Ｎが大きい中継局の送信チャンネルを選局し（Ｓ１１５）、Ｓ１０９〜Ｓ１１２を実行する。その後、Ｓ１１４において、他に受信可能と判定された中継局の送信チャンネルがなくなった場合は、中継局が見つからなかったと判定し、系列局サーチＳ２００に遷移する。
【００３５】
次に、中継局サーチＳ１００により中継局が見つからなかった場合に実行される系列局サーチＳ２００の具体的な処理手順を説明する。
【００３６】
以降の説明では、地上デジタル放送で使用される物理チャンネルは、１３チャンネル〜６２チャンネルであるものとして説明する。
【００３７】
まず、Ｓ２０１で変数「Ｎ」に１３を代入し、Ｓ２０２に遷移する。Ｓ２０２で、物理チャンネル「Ｎ」を選局する。
【００３８】
次に、Ｓ２０３で、復調部３からＴＳ信号のエラーがあるかないかを示すフラグを検出し、ＴＳ信号にエラーがなければ、受信可能と判定し、Ｓ２０４に遷移し、ＴＳ信号にエラーがあれば、受信不可能と判定し、Ｓ２０８に遷移する。Ｓ２０３で受信可能と判定された場合は、復号部４からＢＩＴの取得を行う（Ｓ２０４）。そして、ＢＩＴが取得できた場合は、Ｓ２０６に遷移し、ＢＩＴが取得できなかった場合は、Ｓ２０８に遷移する（Ｓ２０５）。次に、Ｓ２０６では、取得したＢＩＴに含まれているaffiliation_idと、系列局テーブル８２に格納されているサーチ対象放送局のaffiliation_idとを比較し、一致している場合は、同一系列の放送局が見つかったと判定し、このチャンネルを受信し（Ｓ２０７）、中継局／系列局サーチを終了する。一方、一致していなかった場合は、同一系列の放送局ではないものと判定し、Ｓ２０８に遷移する。
【００３９】
次に、Ｓ２０８では、変数「Ｎ」が６２であるか否かを判定し、変数「Ｎ」が６２でない場合は、変数「Ｎ」に１を加え（Ｓ２０９）、Ｓ２０２〜Ｓ２０６を実行する。その後、Ｓ２０８において、変数「Ｎ」が６２であった場合は、全ての物理チャンネルをサーチしたが同一系列の放送局が見つからなかったものと判断し、中継局または同一系列の放送局が見つからなかったことを示す情報をユーザに提示し（Ｓ２１０）、中継局／系列局サーチを終了する。
【００４０】
以上、制御部７により実行される中継局／系列局サーチの処理を説明した。上記した中継局サーチＳ１００によれば、まず、受信可能な中継局の送信チャンネルについての受信信号のＣ／Ｎを取得し、続いて、受信信号のＣ／Ｎが大きい中継局の送信チャンネルから順にＮＩＴを取得し、network_idがサーチ対象放送局のnetwork_idと一致した時点でこのチャンネルを受信することにより、受信信号のＣ／Ｎが最大の中継局を受信することができる。
【００４１】
中継局サーチＳ１００に要する時間を、例を挙げて説明する。
【００４２】
例えば、中継局の送信チャンネル数が４つで、中継局／系列局サーチを実施する地点において、全ての中継局が受信可能であるものとし、選局してから受信信号のＣ／Ｎを取得するのに要する時間を０．５秒、network_idを取得するのに要する時間を２．０秒とする。この時、まず、４つの中継局の送信チャンネルにおける受信信号のＣ／Ｎを取得するのに、０．５秒×４チャンネル＝２．０秒、続いて、受信信号のＣ／Ｎが最大の中継局の送信チャンネルを選局し、network_idを取得し比較するまでに２．０秒、このチャンネルが中継局であると判定されるので、合計４．０秒で中継局を見つけることができる。
【００４３】
一方、受信可能な全ての中継局の送信チャンネルのＮＩＴを取得し、その後、サーチ対象放送局と同じnetwork_idで、且つ受信信号のＣ／Ｎが最大のチャンネルを受信する従来のサーチ方法の場合は、４つの中継局の送信チャンネルのnetwork_idを取得するのに、２．０秒×４チャンネル＝８．０秒を要し、サーチ完了までに合計８．０秒もの時間がかかることになる。従って、中継局サーチＳ１００を用いることにより、従来のサーチ方法に比べて、迅速に中継局を見つけることができる。
【００４４】
また、上記した系列局サーチＳ２００によれば、地上デジタル放送で使用される全ての物理チャンネルを順にサーチし、サーチ対象放送局と同一系列の放送局が見つかった時点でこのチャンネルを受信する。但し、この見つかった同一系列の放送局の番組内容は、サーチ対象放送局の番組内容と一致しているとは限らない。このため、全ての物理チャンネルについて、同一系列の放送局を全て見つけ出し、その中で受信信号のＣ／Ｎが最大のチャンネルを受信するといった処理を行うよりも、同一系列の放送局が１つ見つかった時点でこのチャンネルを受信したほうが、効率がよい。
【００４５】
以上のように、本発明の実施例１におけるデジタル放送受信装置によれば、移動体等により、エリアをまたがって受信する際に、視聴していた放送局の中継局、又は、同一系列の放送局を迅速且つ効率良く見つけることができる。
【実施例２】
【００４６】
ところで、例えば、ＮＨＫ総合を選局すると、選局テーブル８１に示されるように、対応する選局チャンネル２７がチューナに設定されるのであるが、この選局チャンネル２７はＮＨＫ総合の中継局の送信チャンネルに必ず含まれている。これを利用して、実施例１で示した中継局／系列局サーチよりも、サーチ時間を短縮することができる。
【００４７】
図４は、本発明による実施例２における中継局／系列局サーチの処理を示すフローチャートである。図４により、中継局サーチＳ３００の具体的な処理手順を説明する。なお、系列局サーチＳ２００の処理については、図３に示される実施例１の系列局サーチＳ２００の処理と同一である。
【００４８】
実施例２では、ユーザの選局操作によって放送局の切り替えが行われるたびにＮＩＴを取得し、ＮＩＴに含まれているnetwork_idを一時的なメモリに格納する。
【００４９】
ユーザの設定、または、視聴中の番組の受信状態が悪くなると自動的に、図４に示される中継局／系列局サーチが開始される。
【００５０】
まず、Ｓ３０１で、現在の選局チャンネルを変数「Ｓ_ｃｈ」に代入し、Ｓ３０２に遷移する。Ｓ３０２で、現在の選局チャンネルとしたときの一時的なメモリに格納したnetwork_idと、選局テーブル８１に格納されているサーチ対象放送局のnetwork_idとを比較し、一致している場合は、Ｓ３０３に遷移し、一致していない場合（このような状況は、現在の選局チャンネルにおいて選局テーブル８１で対応付けられた放送局ではない他の放送局を受信していることが考えられる）は、Ｓ３０５に遷移する。
【００５１】
Ｓ３０３では、復調部３からＴＳ信号にエラーがあるかないかを示すフラグを検出し、ＴＳ信号にエラーがなければ、受信可能と判定し、Ｓ３０４に遷移し、ＴＳ信号にエラーがあれば、受信不可能と判定し、Ｓ３０５に遷移する。Ｓ３０４では、復調部３から受信信号のＣ／Ｎを取得し、一時的なメモリに格納した後、Ｓ３０５に遷移する。
【００５２】
Ｓ３０５では、変数「Ｍ」に１を代入し、Ｓ３０６に遷移する。次に、Ｓ３０６で、選局テーブル８１を参照し、サーチ対象放送局の「Ｍ」番目の中継局の送信チャンネルと、変数「Ｓ_ｃｈ」の値とが一致しているか否かを判定し、一致している場合は、Ｓ３１０に遷移し、一致していない場合は、Ｓ３０７に遷移する。Ｓ３０７では、サーチ対象放送局の「Ｍ」番目の中継局の送信チャンネルを選局する。Ｓ３０８では、復調部３からＴＳ信号にエラーがあるかないかを示すフラグを検出し、ＴＳ信号にエラーがなければ、受信可能と判定し、Ｓ３０９に遷移し、ＴＳ信号にエラーがあれば、受信不可能と判定し、Ｓ３１０に遷移する。Ｓ３０９では、復調部３から受信信号のＣ／Ｎを取得し、一時的なメモリに格納した後、Ｓ３１０に遷移する。
【００５３】
Ｓ３１０では、選局テーブル８１を参照し、サーチ対象放送局について他に中継局の送信チャンネルがあるかないかを判定し、他にも中継局の送信チャンネルがある場合は、変数「Ｍ」に１を加え（Ｓ３１１）、Ｓ３０６〜Ｓ３０９を繰返し実行する。その後、Ｓ３１０において、他に中継局の送信チャンネルがなくなったら、Ｓ３１２に遷移する。
【００５４】
次に、Ｓ３１２では、Ｓ３０３またはＳ３０８で受信可能と判定された中継局の送信チャンネルがあるかないかを判定し、受信可能な中継局の送信チャンネルがある場合は、Ｓ３１３に遷移し、受信可能な中継局の送信チャンネルがない場合は、中継局サーチＳ３００により中継局が見つからなかったと判定し、系列局サーチＳ２００に遷移する。
【００５５】
続いて、Ｓ３１３では、受信可能と判定された中継局の送信チャンネルの中で、Ｓ３０４またはＳ３０９で取得した受信信号のＣ／Ｎが最大の中継局の送信チャンネルを選局する。そして、復調部３から、ＴＳ信号にエラーがあるかないかを示すフラグを検出し、受信可能であるか否かを判定する（Ｓ３１４）。ＴＳ信号にエラーがなければ、受信可能と判定し、Ｓ３１５に遷移し、ＴＳ信号にエラーがあれば、受信不可能と判定し、Ｓ３２０に遷移する。
【００５６】
Ｓ３１５では、現在選局している中継局の送信チャンネルと、変数「Ｓ_ｃｈ」の値とが一致しているか否かを判定し、一致している場合は、中継局が見つかったと判定し、このチャンネルを受信し（Ｓ３１９）、中継局／系列局サーチを終了する。一方、一致していない場合は、Ｓ３１６に遷移する。
【００５７】
Ｓ３１６では、復号部４からＮＩＴを取得する。そして、ＮＩＴが取得できた場合は、Ｓ３１８に遷移し、ＮＩＴが取得できなかった場合は、受信不可能と判定し、Ｓ３２０に遷移する（Ｓ３１７）。Ｓ３１８では、ＮＩＴに含まれているnetwork_idと、サーチ対象放送局のnetwork_idとを比較し、一致している場合は、中継局が見つかったと判定し、このチャンネルを受信し（Ｓ３１９）、中継局／系列局サーチを終了する。一方、一致しなかった場合は、中継局ではないと判定し、Ｓ３２０に遷移する。
【００５８】
次に、Ｓ３２０では、Ｓ３０３又はＳ３０８で受信可能と判定された中継局の送信チャンネルが他にもあるかないかを判定し、他にも受信可能と判定された中継局の送信チャンネルがある場合は、次に受信信号のＣ／Ｎが大きい中継局の選局チャンネルを選局し（Ｓ３２１）、Ｓ３１４〜Ｓ３１８を実行する。その後、Ｓ３２０において、他に受信可能と判定された中継局の送信チャンネルがなくなった場合は、中継局が見つからなかったと判定し、系列局サーチＳ２００に遷移する。
【００５９】
以上、本発明の実施例２における中継局／系列局サーチの処理を説明した。
【００６０】
上記した中継局サーチＳ３００によれば、中継局／系列局サーチ開始時に選局チャンネル「Ｓ_ｃｈ」の受信信号のＣ／Ｎを取得することにより（Ｓ３０４）、全中継局の送信チャンネルについての受信信号のＣ／Ｎ取得を行う処理において、選局チャンネル「Ｓ_ｃｈ」の受信信号のＣ／Ｎ取得はスキップ可能であるため（Ｓ３０６）、受信信号のＣ／Ｎ取得に要する時間０．５秒を短縮できる。
【００６１】
また、中継局／系列局サーチを開始前に、選局チャンネル「Ｓ_ｃｈ」のnetwork_idが取得されているため、受信信号のＣ／Ｎが大きい中継局の送信チャンネルから順にnetwork_idの判定を行う処理において、選局チャンネル「Ｓ_ｃｈ」を選局した場合は（Ｓ３１５）、network_idの判定を行わず、このチャンネルを受信すればよいため（Ｓ３１９）、network_idの判定に要する時間２．０秒を短縮できる。
【００６２】
以上のように、実施例２における中継局／系列局サーチによれば、実施例１の中継局／系列局サーチに比べて、サーチ時間の短縮が可能である。
【実施例３】
【００６３】
ところで、系列局サーチＳ２００については、実施例１で述べたように、地上デジタル放送で使用される全物理チャンネル１３〜６２を順にサーチし、同一系列の放送局が見つかった時点でそのチャンネルを受信している。このため、例えば、図５に示されるように、同一系列の放送局Ａが物理チャンネル１９と２７で受信可能であり、かつ同一系列の放送局Ｂについても物理チャンネル３５で受信可能な地点において、系列局サーチＳ２００が実行されると、物理チャンネルの数値が最も小さい物理チャンネル１９が受信される。物理チャンネル２７や３５の受信状態が、物理チャンネル１９の受信状態よりも良好であっても、物理チャンネル２７や３５が受信されることはない。
【００６４】
そこで、上記問題の解決策として、中継局／系列局サーチを実施した結果、物理チャンネル１９が受信された場合に、もう一度中継局／系列局サーチを実施した際には、物理チャンネル２７や３５が受信されるような仕組みを作る。
【００６５】
図６、図７は、本発明による実施例３における中継局／系列局サーチの処理を示すフローチャートである。図６は、図３で示したフローチャートに、Ｓ４０３とＳ４０４の処理が追加されたものである。また、図７は、図６のフローチャートのＳ２０１をＳ４０１、Ｓ２０８をＳ４０２にそれぞれ置換したものである。
【００６６】
実施例３における中継局／系列局サーチは、まず、図６に示される中継局／系列局サーチが実施される。この結果、同一系列の放送局が受信された場合に、もう一度中継局／系列局サーチが実施された際には、図７に示される中継局／系列局サーチが実施される。
【００６７】
まず、図６に示す中継局／系列局サーチの処理手順を説明する。
【００６８】
図６において、中継局サーチＳ１００および系列局サーチＳ２００の処理は実施例１で説明した処理手順と同じである。系列局サーチＳ２００の結果、同一系列の放送局が受信された場合は（Ｓ２０７）、続いて、Ｓ４０３で、受信したチャンネルのＮＩＴを取得し、network_idおよび全ての中継局の送信チャンネルをメモリに保持する。そして、Ｓ４０４で、受信している物理チャンネルを変数「Ｘ」に代入し、中継局／系列局サーチを終了する。
【００６９】
図６に示す中継局／系列局サーチを実施した結果、同一系列の放送局が受信された場合に、もう一度中継局／系列局サーチが実施された際には、図７に示される中継局／系列局サーチが実施される。
【００７０】
図７に示すように、まず、中継局サーチＳ１００が実行される。中継局サーチＳ１００では、図６のＳ４０３で取得した中継局の送信チャンネルを用いてサーチが実行される。また、Ｓ１１２では、図６のＳ４０３で取得したnetwork_idを比較の対象とする。
【００７１】
次に、系列局サーチＳ４００では、まず、Ｓ４０１で、図６のＳ４０４において変数「Ｘ」に格納した値に１を加え、変数「Ｎ」に代入する。続く、Ｓ２０２〜Ｓ２０６の処理は実施例１で説明した処理手順と同じである。
【００７２】
Ｓ４０２では、全ての物理チャンネルについてサーチを行ったか否かを判定し、まだサーチを行っていない物理チャンネルがある場合は、変数「Ｎ」に１を加え（Ｓ２０９）、Ｓ２０２〜Ｓ２０６を実行する。なお、Ｓ２０９において、変数「Ｎ」が６２の次は、変数「Ｎ」は１３となる。
【００７３】
系列局サーチＳ４００の結果、同一系列の放送局が受信された場合は（Ｓ２０７）、続いて、Ｓ４０３で、受信したチャンネルのＮＩＴを取得し、network_idおよび中継局の送信チャンネルをメモリに保持する。そして、Ｓ４０４で、受信している物理チャンネルを変数「Ｘ」に代入し、中継局／系列局サーチを終了する。
【００７４】
以上のように、実施例３における中継局／系列局サーチによれば、同一系列の放送局が受信された場合に、再度、中継局／系列局サーチが実施された場合には、まず、受信されている同一系列の放送局についての中継局の送信チャンネルをサーチする。また、中継局が見つからなかった場合は、受信されている同一系列の放送局の物理チャンネルに１を加えた物理チャンネルから系列局サーチが開始される。このため、受信されている同一系列の放送局よりも、より受信状態の良好なこの放送局の中継局、または他の同一系列の放送局を受信することができる。
【００７５】
また、実施例３における中継局／系列局サーチは、中継局サーチＳ１００の代わりに、図４で示した実施例２の中継局サーチＳ３００を用いてもよい。
【実施例４】
【００７６】
ところで、選局テーブル８１におけるサーチ対象放送局の中継局の送信チャンネル数が１つだけの場合は、中継局サーチを実行する必要がない。また、サーチ対象放送局が系列に属していない場合は、系列局サーチを実行する必要がない。これらの考えを中継局／系列局サーチに反映させることで、更にサーチ時間の短縮を図ることができる。
【００７７】
図８は、本発明による実施例４における中継局／系列局サーチの処理を示すフローチャートである。図８に示すように、中継局／系列局サーチが開始されると、まず、Ｓ５０１で、選局テーブル８１を参照し、サーチ対象放送局の中継局の送信チャンネル数が１つであるか否かを判定する。中継局の送信チャンネルの数が１つである場合は、Ｓ５０２に遷移し、中継局の送信チャンネル数が２つ以上存在する場合は、Ｓ５０４に遷移する。Ｓ５０２では、現在選局しているチャンネルが受信可能であるか否かを判定する。受信可能と判定された場合は、このチャンネルを受信し（Ｓ５０３）、中継局／系列局サーチを終了する。また、受信不可能と判定された場合は、Ｓ５０６に遷移する。
【００７８】
Ｓ５０４では、中継局サーチを実行し、中継局が見つかった場合は、この中継局を受信し（Ｓ５０５）、中継局／系列局サーチを終了する。一方、中継局が見つからなかった場合は、Ｓ５０６に遷移する。
【００７９】
次に、Ｓ５０６では、系列局テーブル８２を参照し、サーチ対象放送局が系列に属しているか否かを判定する。系列に属している場合は、Ｓ５０７に遷移し、系列に属していない場合は、Ｓ５０９に遷移する。Ｓ５０７では、系列局サーチを実行し、系列局が見つかった場合は、この系列局を受信し（Ｓ５０８）、中継局／系列局サーチを終了する。また、系列局が見つからなかった場合は、中継局または同一系列の放送局を見つけることができなかったことを示す情報をユーザに提示し（Ｓ５０９）、中継局／系列局サーチを終了する。
【００８０】
上記した中継局／系列局サーチによれば、サーチ対象放送局の中継局の送信チャンネル数が１つである場合、また、サーチ対象放送局が系列に属していない場合は、それぞれ中継局サーチ、系列局サーチを実行しないことにより、中継局／系列局サーチの処理時間を短縮することができる。
【００８１】
また、地上デジタル放送が階層伝送を利用して、固定受信端末向け放送（以下、「弱階層」と呼ぶ）と携帯受信端末向け放送（以下、「強階層」と呼ぶ）が行われているものとする。ユーザ操作によって常に弱階層を固定して受信する設定がなされている場合、すなわち、弱階層が受信可能な中継局、または弱階層が受信可能な同一系列の放送局をサーチする必要がある場合においては、実施例１〜実施例４の中継局／系列局サーチにおいて、図３、図６、図７のＳ１０３、Ｓ１０９、Ｓ２０３、図４のＳ３０３、Ｓ３０８、Ｓ３１４の処理で、復調部３から、弱階層のＴＳ信号にエラーがあるかないかを示すフラグを検出し、受信可否の判定を行えばよい。一方、ユーザ操作によって常に強階層を固定して受信する設定がなされている場合、すなわち、強階層が受信可能な中継局、または強階層が受信可能な同一系列の放送局をサーチする必要がある場合においては、実施例１〜実施例４の中継局／系列局サーチにおいて、図３、図６、図７のＳ１０３、Ｓ１０９、Ｓ２０３、図４のＳ３０３、Ｓ３０８、Ｓ３１４の処理で、復調部３から、強階層のＴＳ信号にエラーがあるかないかを示すフラグを検出し、受信可否の判定を行えばよい。更に、ユーザ操作によって、受信状態が良好な時は弱階層を受信し、受信状態が悪い時は強階層を受信するというように、弱階層と強階層を受信条件に基づいて切り替える設定がなされているとする。この場合、弱階層と強階層のうち少なくともどちらか一方が受信可能である中継局、または弱階層と強階層のうち少なくともどちらか一方が受信可能である同一系列の放送局をサーチすれば良い。従って、実施例１〜実施例４の中継局／系列局サーチにおいて、図３、図６、図７のＳ１０３、Ｓ１０９、Ｓ２０３、図４のＳ３０３、Ｓ３０８、Ｓ３１４の処理で、復調部３から、弱階層のＴＳ信号にエラーがあるかないかを示すフラグと強階層のＴＳ信号にエラーがあるかないかを示すフラグを両方検出し、少なくともどちらか一方の階層にＴＳエラーがなければ、そのチャンネルは受信可能と判定すればよい。
【００８２】
また、実施例１〜実施例４において、中継局サーチを行った際に受信不可と判定された中継局の送信チャンネルは、系列局サーチを実行する際においても受信不可と判定される可能性が高く、これらのチャンネルについては系列局サーチを省略することにより、系列局サーチの処理時間を短縮することができる。
【００８３】
具体的には、図３、図６、図７のＳ１０３、Ｓ１０９、図４のＳ３０３、Ｓ３０８、Ｓ３１４の処理で、受信不可と判定された中継局の送信チャンネルを一時的なメモリに保持し、系列局サーチを実行する際に、一時的なメモリに保持された物理チャンネルをスキップすることで実現できる。
【図面の簡単な説明】
【００８４】
【図１】本発明の一実施の形態になるデジタル放送受信装置の構成図である。
【図２】上記受信装置に備える記憶部に格納される選局テーブルと系列局テーブルを示す図である。
【図３】本発明による実施例１における中継局／系列局サーチの処理を示すフローチャートである。
【図４】本発明による実施例２における中継局／系列局サーチの処理を示すフローチャートである。
【図５】上記受信装置で複数の系列局が同時に受信可能である状態を示す図である。
【図６】本発明による実施例３における中継局／系列局サーチの処理を示すフローチャートである。
【図７】本発明による実施例３における中継局／系列局サーチの処理を示すフローチャートである。
【図８】本発明による実施例４における中継局／系列局サーチの処理を示すフローチャートである。
【符号の説明】
【００８５】
１…アンテナ、２…チューナ部、３…復調部、４…復号部、５…映像表示部、６…音声出力部、７…制御部、８…メモリ（記憶部）。
【図１】
0005281802.tif 000002
【図２】
0005281802.tif 000003
【図３】
0005281802.tif 000004
【図４】
0005281802.tif 000005
【図５】
0005281802.tif 000006
【図６】
0005281802.tif 000007
【図７】
0005281802.tif 000008
【図８】
0005281802.tif 000009